(57)【要約】【課題】ユーザが温度センサに直接触れるのを防止しつつ、正確な気温を測定できる天井埋込型空気調和機を提供する。【解決手段】ユニット本体２内に設けられたベルマウス６に室温計測用の温度センサ１０を保持するためのセンサ保持部６２を一体的に形成し、センサ保持部６２に保護カバー２０を取り付けて、温度センサ１０を覆い隠す。【選択図】図５
2008064390.tif 000002
【特許請求の範囲】
【請求項１】
天井内に埋設されるユニット本体を備え、上記ユニット本体内には、中央にターボファンが配置され、上記ターボファンの周囲を囲むよう熱交換器が配置されているとともに、上記ターボファンに対してベルマウスが同軸的に設けられている天井埋込型空気調和機において、
上記ベルマウスには、室温計測用の温度センサを保持するためのセンサ保持部が一体的に形成されており、上記センサ保持部には、上記温度センサを保護するための保護カバーが取り付けられていることを特徴とする天井埋込型空気調和機。
【請求項２】
上記センサ保持部は、上記ベルマウスの外周部から内周部側に向かって形成された凹部からなることを特徴とする請求項１に記載の天井埋込型空気調和機。
【請求項３】
上記保護カバーは、表面に上記センサ保持部内に空気を取り込むための空気流入口を備え、その長さが上記センサ保持部の長さよりも長く形成されており、上記保護カバーの先端と上記センサ保持部との間には、空気流出口としての空隙が設けられていることを特徴とする請求項１または２に記載の天井埋込型空気調和機。
【請求項４】
上記保護カバーの一部には、上記温度センサのセンサーケーブルを引き出すための引出孔が設けられており、上記ベルマウスの外周部の一部は、上記センサーケーブルを上記ベルマウスの外に引き出すための切欠部が設けられていることを特徴とする請求項１，２または３に記載の天井埋込型空気調和機。
【発明の詳細な説明】
【技術分野】
【０００１】
本発明は、天井内に室内機ユニットが埋設される天井埋込型空気調和機に関し、さらに詳しく言えば、ユーザが電気部品に直接触れるのを防止しつつ、正確な室温を測定できる天井埋込型空気調和機に関する。
【背景技術】
【０００２】
天井埋込型空気調和機は、室内ユニット本体が天井内に埋設されており、化粧パネルのみが天井面に露出する目立たない形態をしているため、商業店舗やオフィスなどでよく用いられている。
【０００３】
一般に、化粧パネルの中央には、室内ユニット本体内の空気調和機構に室内空気を取り込むための空気吸込口が設けられており、空気吸込口の周囲を取り囲むようにして、室内ユニット本体内で調温された空気を室内に送り出す空気吹出口が通常では、２カ所あるいは４カ所設けられている。
【０００４】
例えば特許文献１に示すように、室内ユニット本体内には、中央にターボファンが配置され、そのターボファンの周囲を囲むよう熱交換器が配置されているとともに、ターボファンに対してベルマウスが同軸的に設けられている。
【０００５】
ところで、この種の天井埋込型空気調和機には、制御用に室内温度を測定するための温度センサが設けられている。特許文献１において、温度センサはベルマウス脇に設置された電装品箱に一体的に形成されたセンサ収納部に収納されおり、収納部内を温度を測定している。
【０００６】
また、特許文献２には別の態様として、ベルマウスの裏（反化粧パネル側）に設置された電装品部からベルマウスに設けられた孔を介してベルマウスの表側に温度センサを引き出して温度測定を行っている。
【０００７】
しかしながら、上記各先行技術には、次のような問題があった。すなわち、特許文献１に記載の方法は、電装品箱の側に温度センサの収納部が隣接しているため、電装品箱によって空気の流れが乱れ、正確な温度計測がしにくい。
【０００８】
また、特許文献２に記載の方法は、ベルマウスの表側に温度センサを引き出すことにより、より正確な室温を測定をすることができるが、温度センサを引出孔から引き出すため、作業工程が増える。さらには、空気が引出孔を通ってファンに吸い込まれるため、乱流やノイズの発生原因となるおそれがある。
【０００９】
また、特許文献２の温度センサは、ベルマウスの表面に剥き出しとなっているため、ユーザが直接手で触れることができる。これはヨーロッパの安全規格の１つであるＣＥマークの「電装品を含む全ての電装部は直接手で触れることができてはならない」という項目に違反してしまうため、ＣＥマークを取得できない。
【００１０】
【特許文献１】特開２００１−２８０６５０号公報
【特許文献２】特開２００１−２０８３７０号公報
【発明の開示】
【発明が解決しようとする課題】
【００１１】
本発明は上述した課題を解決するため、ユーザが温度センサに直接触れるのを防止しつつ、正確な室温を測定できる天井埋込型空気調和機を提供することにある。
【課題を解決するための手段】
【００１２】
上述した課題を解決するため、本発明は以下に示すいくつかの特徴を備えている。請求項１に記載の発明は、天井内に埋設されるユニット本体を備え、上記ユニット本体内には、中央にターボファンが配置され、上記ターボファンの周囲を囲むよう熱交換器が配置されているとともに、上記ターボファンに対してベルマウスが同軸的に設けられている天井埋込型空気調和機において、上記ベルマウスには、気温計測用の温度センサを保持するためのセンサ保持部が一体的に形成されており、上記センサ保持部には、上記温度センサを保護するための保護カバーが取り付けられていることを特徴としている。
【００１３】
請求項２に記載の発明は、上記請求項１において、上記センサ保持部は、上記ベルマウスの外周部から内周部に向かって形成された凹部からなることを特徴としている。
【００１４】
請求項３に記載の発明は、上記請求項１または２において、上記保護カバーは、表面に上記センサ保持部内に空気を取り込むための空気流入口を備え、その長さが上記センサ保持部の長さよりも長く形成されており、上記保護カバーの先端と上記センサ保持部との間に空気流出口としての空隙が設けられていることを特徴としている。
【００１５】
請求項４に記載の発明は、上記請求項１，２または３において、上記保護カバーの一部には、上記温度センサのセンサーケーブルを引き出すための引出孔が設けられており、上記ベルマウスの外周部の一部は、上記センサーケーブルを上記ベルマウスの外に引き出すための切欠部が設けられていることを特徴としている。
【発明の効果】
【００１６】
請求項１に記載の発明によれば、ベルマウスの一部に温度センサを収納するためのセンサ収納部を一体的に設け、同センサ収納部を保護カバーで覆い隠したことにより、ベルマウスを流れる空気の温度を正確に測定することができるばかりでなく、ＣＥマーク規格にも準拠させることができる。
【００１７】
請求項２に記載の発明によれば、上記センサ保持部をベルマウスの外周から中心に向かって形成したことにより、空気の流れを乱すことなく、スムーズに空気をセンサ保持部に取り込むことができ、より正確な室温計測を行うことができる。
【００１８】
請求項３に記載の発明によれば、保護カバーの長さをセンサ保持部の長さよりも長くしたことにより、保護カバーの先端とセンサ保持部との間に空隙が生まれ、この空隙からセンサ保持部に入ってきた空気を無理なく逃がすことができる。
【００１９】
請求項４に記載の発明によれば、保護カバーの一部にセンサケーブル用の引出孔を設け、ベルマウスの外周の一部を切り欠いたことにより、ベルマウスに孔を開けることなく、簡単にセンサケーブルの取り回しを行うことができる。
【発明を実施するための最良の形態】
【００２０】
次に、本発明の実施形態について図面を参照しながら説明する。図１は、本発明の一実施形態に係る天井埋込型空気調和機の分解斜視図であり、図２はその要部断面図である。なお、本発明において、室外機ユニットは構成要件ではないため、その説明は省略する。
【００２１】
図１に示すように、この天井埋込型空気調和機（室内機ユニット）１は、図示しない天井に埋設されるユニット本体２を有し、同ユニット本体２の内部には、ターボファン３，熱交換器４，ドレンパン５およびベルマウス６が収納されている。ユニット本体２の下面には、ユニット本体２の下面を覆い隠す化粧パネル７が取り付けられている。
【００２２】
ユニット本体２は、金属板を箱形にプレス成形したものからなる外枠２ａと、同外枠２の内周面に沿って配置される内枠２ｂとを備えている。外枠２ａは、下面のみが開放された箱形に形成されており、その内側面に発泡樹脂の断熱材からなる内枠２ｂが貼り合わせられている。本発明において、ユニット本体２は仕様に応じて任意に変更可能である。
【００２３】
ターボファン３は、図示しない制御手段により制御される駆動モータ３ａによって回転駆動される遠心ファンからなり、この例では、図２に示すように、径の異なる第１および第２ファン３１，３２を軸方向に連結したツインファン構造を備えている。この例において、ターボファン３はツインファン構造が採用されているが、本発明において、ターボファン３の具体的な構成要件は任意である。
【００２４】
熱交換器４は、図示しない室外機ユニットの冷凍サイクル機構に接続されており、ターボファン３の周囲を取り囲むように配置されている。この例において、熱交換器２は四角形状に形成されている。なお、本発明において熱交換器３の形状は、仕様に応じて任意に変更可能である。
【００２５】
熱交換器４の下には、ドレンパン５が配置されている。ドレンパン５は、熱交換器４の形状に沿って四角形状に形成された枠体からなり、この例では合成樹脂の成型品からなる。図２に示すように、ドレンパン５は、熱交換器４で生成されたドレン水を受け取るため断面コ字状の溝５１が形成されている。
【００２６】
ドレンパン５の中央には、ベルマウス６を取り付けるための開口部５２が設けられている。ドレンパン５の四隅には、熱交換器４で熱交換された空気を空気吹出口７２へと導くための導風孔５３が、この例では４カ所設けられている。
【００２７】
本発明において、ドレンパンの具体的な形状および材質は任意であり、仕様に応じて任意に変更可能である。ドレンパン５には、溝５１に溜まったドレン水を排出するための、図示しないドレンポンプが設けられており、このドレンポンプを介してドレン水が室外に排水するようになっている。
【００２８】
次に、ベルマウス６は、合成樹脂の成型品からなり、ドレンパン５の開口部５２に沿って取り付けられている。図２および図３を合わせて参照して、ベルマウス６は、開口部６１が外側から中央に向かうにつれて徐々に狭くなるすり鉢状に形成されており、その先端（図１では上端）は、ターボファン３に向けて差し込まれている。
【００２９】
ベルマウス６には、室温を測定するための温度センサ１０（図５参照）を収納するためのセンサ収納部６２が設けられている。センサ収納部６２は、ベルマウス６の隅の外周から中心に向かって溝状に形成された凹部からなり、これに伴い、ベルマウス６の裏側は凸状に張り出している。
【００３０】
これによれば、センサ収納部６２は半径方向に沿って形成されていることにより、空気の流れに沿ってセンサ収納部６２に空気をスムーズに取り込むことができ、より正確な温度計測を行うことができる。
【００３１】
センサ収納部６２には、温度センサ１０のセンサケーブル１１を保持するための係止爪６３，６３がこの例では前後に２カ所設けられている。係止爪６３，６３は中央に係止溝６４が設けられており、この係止溝６４にセンサケーブル１１が挟持されることで、先端に設けられた温度センサ１０がセンサ収納部６２に浮いた状態で保持される（図５参照）。これによれば、ベルマウス６の導風面上に引出孔を設けることなく温度センサ１０を保持できることにより、乱流やノイズの発生の発生を抑えることができる。
【００３２】
センサ収納部６２には、温度センサ１０を覆い隠すための保護カバー２０が取り付けられている。図４および図５を併せて参照して、保護カバー２０は、合成樹脂の成型品からなり、内部が温度センサ１０を覆うように中空に形成されている。
【００３３】
保護カバー２０の外周面には、ベルマウス６に取り込まれた空気の一部を保護カバー２０内に引き込む空気流入口としてのグリル２１が格子状に形成されている。保護カバー２０の一方の側面（図４（ａ）では下面）には、温度センサ１０のセンサケーブル１１を引き出すための引出孔２２が設けられている。
【００３４】
これによれば、保護カバー２０によって温度センサ１０が覆い隠されることにより、ユーザが温度センサ１０に直接触れることができないため、ＣＥマーク規格に準拠した製品を得ることができる。
【００３５】
保護カバー２０は、その全長がセンサ収納部６２の全長よりも長くなるように形成されている。これによれば、保護カバー２０の先端とセンサ収納部６２との間に、所定幅の空隙部３０が形成されることにより、温度センサ１０を通過した空気が空気流出口としての空隙部３０を通ってスムーズに外に排出されるため、常に新しい空気を温度センサ１０に当てることができる。
【００３６】
さらには、保護カバー１０内を通過する空気の流速とベルマウス６を流れる空気の流速とがほぼ変わらないため、乱流などを引き起こさずに、空気をよりスムーズに流すことができる。
【００３７】
保護カバー２０の後端（図４（ａ）では右端）には、保護カバー２０をセンサ収納部６２に取り付けるためのネジ孔２３が設けられている。ネジ孔２３は、ベルマウス６の四隅に形成された４カ所のネジ止め孔６５のうち、センサ収納部６２内に形成されたネジ止め孔６５とともにドレンパン５にネジ止めされる。
【００３８】
ベルマウス６のセンサ収納部６２に隣接した外周面の一部には、センサ収納部６２から引出孔２２を経て引き出されたセンサケーブル１１をベルマウス６の外に引き出すための切欠部６６が設けられている。これによれば、ベルマウス６に貫通孔を設けることなく、センサケーブル１１をベルマウス６の外に引き出すことができる。
【００３９】
切欠部６６から引き出されたセンサケーブル１１は、ベルマウス６の外周に沿って形成された図示しないコネクタカバー内へと導かれたのち、コネクタカバー内で図示しない電装品箱から引き出されたコネクタケーブルに接続される。
【００４０】
再び図１および図２を参照して、化粧パネル７は、合成樹脂の成型品からなり、ユニット本体２の下端面を塞ぐように取り付けられている。化粧パネル７はほぼ四角形状に形成されており、中央にはユニット内部に空気を取り込むための、空気吸込口７１が形成されている。
【００４１】
空気吸込口７１は、全体が格子状のグリルによって覆われており、その内部にはエアフィルタ７３が取り付けられている。化粧パネル７には、空気吸込口７１の四方を取り囲むように空気吹出口７２が、この例では４カ所設けられている。
【００４２】
図２に示すように、各空気吹出口７２には、空気の吹出方向を変えるための風向板８が設けられている。なお、各風向板８の形状は同一である。風向板８は、断面が弓形状に形成された合成樹脂の成型品からなり、空気吹出口７２を塞ぐ長さを備えている。風向板８は、化粧パネル７の裏面に所定の回転駆動軸を中心に回動自在に支持されており、図示しない駆動手段を介して回動される。
【００４３】
この例において、空気吹出口７２は空気吸込口７１を囲むように４カ所設けられているが、空気吹出口７２は２カ所であってもよく、仕様に応じて任意に変更可能である。また、この例において、ターボファン３は、ユニット本体２の中央に１カ所配置されているが、２個のターボファン３を有するタイプの天井埋込型空気調和機に本発明のベルマウス６を適用してもよい。
【図面の簡単な説明】
【００４４】
【図１】本発明の一実施形態に係る天井埋込型空気調和機の分解斜視図。
【図２】本発明の一実施形態に係る天井埋込型空気調和機の要部断面図。
【図３】上記天井埋込型空気調和機のベルマウスの斜視図。
【図４】（ａ）保護カバーの正面図，（ｂ）保護カバーの側面図。
【図５】センサ収納部に保護カバーを取り付けた状態の部分断面図。
【符号の説明】
【００４５】
１  天井埋込型空気調和機
２  ユニット本体
３  ターボファン
４  熱交換器
５  ドレンパン
６  ベルマウス
６１  開口部
６２  センサ収納部
６３  係止爪
６４  係止溝
６５  ネジ止め孔
６６  切欠部
７  化粧パネル
７１  空気吸込口
７２  空気吹出口
８  風向板
１０  温度センサ
１１  センサケーブル
２０  保護カバー
２１  グリル
２２  引出孔
２３  ネジ孔
【図１】
2008064390.tif 000003
【図２】
2008064390.tif 000004
【図３】
2008064390.tif 000005
【図４】
2008064390.tif 000006
【図５】
2008064390.tif 000007